(57)【要約】【課題】記録ブロックに欠陥がある光記録媒体であっても高速アクセスが可能な光記録媒体記録再生方法及び装置を提供する。【解決手段】欠陥のある記録ブロックを代替する代替記録ブロックの管理情報を光記録媒体に予め記録しておき、光記録媒体の使用開始時には、光記録媒体に記録されている代替記録ブロックの管理情報にしたがって、代替記録ブロックに記録されている情報を一時記憶部４２に転写し、欠陥記録ブロックへのアクセスがあった場合には、該欠陥記録ブロックの代替記録ブロックにアクセスする代わりに前記一時記憶部４２に対して情報の読み書きを行い、光記録媒体の使用終了時には、前記一時記憶部４２の情報を代替記録ブロックに書き写す。【選択図】  図４
2004227632.tif 000002
【特許請求の範囲】
【請求項１】
情報を記録又は再生する最小単位の記録ブロックを所定の配列で複数個配置してなる記録膜を少なくとも一層有する光記録媒体に対し、記録すべき記録ブロックを含む記録膜に参照光を照射するとともに該記録ブロックに記録光を照射して情報を記録し、再生すべき記録ブロックを含む記録膜に参照光を照射するとともに該記録ブロックからの再生光を受光して情報の再生を行う光記録媒体記録再生方法において、
欠陥のある記録ブロックを代替する代替記録ブロックの管理情報を光記録媒体に予め記録しておき、
光記録媒体の使用開始時には、光記録媒体に記録されている代替記録ブロックの管理情報にしたがって、代替記録ブロックに記録されている情報を一時記憶部に転写し、
欠陥記録ブロックへのアクセスがあった場合には、該欠陥記録ブロックの代替記録ブロックにアクセスする代わりに前記一時記憶部に対して情報の読み書きを行い、
光記録媒体の使用終了時には、前記一時記憶部の情報を代替記録ブロックに書き写す
ことを特徴とする光記録媒体記録再生方法。
【請求項２】
代替記録ブロックは欠陥記録ブロックの次のアドレスの記録ブロックである
ことを特徴とする請求項１記載の光記録媒体記録再生方法。
【請求項３】
代替記録ブロックは欠陥記録ブロックと同一記録膜に予め用意された予備の記録ブロックである
ことを特徴とする請求項１記載の光記録媒体記録再生方法。
【請求項４】
代替記録ブロックは欠陥記録ブロックとは別の記録膜の記録ブロックである
ことを特徴とする請求項１記載の光記録媒体記録再生方法。
【請求項５】
光記録媒体は積層導波路型ホログラム光記録媒体である
ことを特徴とする請求項１乃至４何れか１項記載の光記録媒体記録再生方法。
【請求項６】
情報を記録又は再生する最小単位の記録ブロックを所定の配列で複数個配置してなる記録膜を少なくとも一層有する光記録媒体に対して情報の記録再生を行う装置であって、光記録媒体の記録膜に対応した参照光を発生する参照光発生手段と、光記録媒体の記録ブロックの大きさに対応した記録光を発生する記録光発生手段と、光記録媒体の記録ブロックの大きさに対応した再生光を受光する受光手段とを備え、記録すべき記録ブロックを含む記録膜に参照光発生手段からの参照光を照射するとともに該記録ブロックに記録光発生手段からの記録光を照射して情報を記録し、再生すべき記録ブロックを含む記録膜に参照光発生手段からの参照光を照射するとともに該記録ブロックからの再生光を受光手段で受光して情報の再生を行う光記録媒体記録再生装置において、
一時的に情報を記憶する一時記憶部と、
光記録媒体の使用開始時には、光記録媒体に予め記録されている欠陥記録ブロックを代替する代替記録ブロックの管理情報にしたがって、代替記録ブロックに記録されている情報を一時記憶部に転写し、欠陥記録ブロックへのアクセスがあった場合には、該欠陥記録ブロックの代替記録ブロックにアクセスする代わりに前記一時記憶部に対して情報の読み書きを行い、光記録媒体の使用終了時には、前記一時記憶部の情報を代替記録ブロックに書き写す制御手段とを備えた
ことを特徴とする光記録媒体記録再生装置。
【請求項７】
代替記録ブロックは欠陥記録ブロックの次のアドレスの記録ブロックである
ことを特徴とする請求項６記載の光記録媒体記録再生装置。
【請求項８】
代替記録ブロックは欠陥記録ブロックと同一記録膜に予め用意された予備の記録ブロックである
ことを特徴とする請求項６記載の光記録媒体記録再生装置。
【請求項９】
代替記録ブロックは欠陥記録ブロックとは別の記録膜の記録ブロックである
ことを特徴とする請求項６記載の光記録媒体記録再生装置。
【請求項１０】
光記録媒体は積層導波路型ホログラム光記録媒体である
ことを特徴とする請求項６乃至９何れか１項記載の光記録媒体記録再生装置。
【発明の詳細な説明】
【０００１】
【発明の属する技術分野】
本発明は、欠陥を含む光記録媒体に対し、情報を記録又は再生可能とする光記録媒体記録再生方法及び装置に関する。
【０００２】
【従来の技術】
まず、光記録媒体の構造について図１を参照して説明する。図１は積層導波路型の光記録媒体の構造図である。この光記録媒体１０は、ガラス等からなる基板１１上に、ホログラム記録膜（以下、単に「記録膜」という）１２を複数（例えば１００層程度）積層した構造となっており、記録膜１２は基板１１により保護されている。各記録膜１２には情報を記録又は再生する最小単位の記録ブロック１３が所定の配列で区画されている。情報の記録再生は、記録ブロック１３毎及び記録膜１２毎に行われる。
【０００３】
この光記録媒体に対して情報の記録再生を行う従来の光記録媒体記録再生装置について図２を参照して説明する。光記録媒体記録再生装置２０は、図２に示すように、光記録媒体１０の一層の記録膜１２に対応した扁平な参照光を発生するレーザ２１、光記録媒体１０の記録ブロック１３の大きさに対応した記録光（物体光）を発生する物体光発生装置２２、光記録媒体１０の記録ブロック１３の大きさに対応した再生光を受光するＣＣＤ撮像装置２３、レーザ２１・物体光発生装置２２・ＣＣＤ撮像装置２３などを制御する制御回路２７とを備えている。図中、一点鎖線矢印は光学的な接続関係を表し、実線矢印は電気的な接続関係を表し、破線矢印は機械的な接続関係を表している。
【０００４】
この光記録媒体記録再生装置２０を用いて光記録媒体１０に情報の書き込みを行う場合の動作について説明する。まず、光記録媒体記録再生装置２０に光記録媒体１０を装着する。次に、光記録媒体１０の側面から記録対象の記録ブロック１３を含む記録膜１２に、レーザ２１で発生した扁平な参照光２４を照射するとともに、光記録媒体１０の下方から記録対象の記録ブロック１３に、物体光発生装置２２で発生した物体光２５を当てる。ここで、物体光２５は、レーザ２１で発生した光をビームスプリッタ（図示省略）で分岐させ、この分岐光を物体光発生装置２２に入射させることにより発生させる。なお、光記録媒体１０の層選択は制御回路２７の指令により行う。
【０００５】
一方、情報の読み込み動作は、記録時と同様に、光記録媒体１０の側面から再生対象の記録ブロック１３を含む記録膜１２に、レーザ２１で発生した扁平な参照光２４を照射する。そして、ＣＣＤ撮像装置２３で再生対象の記録ブロック１３からの再生光を読み取る。なお、光記録媒体１０の層選択は制御回路２７の指令により行う。
【０００６】
ところで、この種の装置では、光記録媒体１０の記録膜１２の記録ブロック１３に欠陥があった場合などを考慮して、誤り訂正符号等を付加して情報記録を行うのが一般的である。しかし、訂正符号の付加によっても誤り訂正ができない場合には、上記の光記録媒体記録再生装置では情報の読み書き動作に支障が生じるという問題があった。
【０００７】
そこで、この問題を解決するために、以下に示すような欠陥救済方法が従来より提案されている。以下、この欠陥救済方法について説明する。
【０００８】
ユーザが光記録媒体１０を使用する際には予め各記録膜面を初期化する必要があるが、この欠陥救済方法では、記録膜面の初期化時に記録膜の欠陥箇所を発見した場合、記録ブロックを次の記録ブロックにずらすことにより欠陥救済処理を行う。ここで、記録ブロックを次の記録ブロックにずらすとは、各記録ブロックを表すアドレス上、欠陥記録ブロックの次のアドレスの記録ブロックを使用することをいう。このように、欠陥記録ブロックがある場合、同じ記録膜上における他の記録ブロックを代替して使用する。
【０００９】
次に、この欠陥救済方法について図３を参照して更に具体的に説明する。図３において、３０は記録ブロックが４行×５列に配列された光記録媒体の一記録膜、３１は読み書き時の記録ブロック番地歩進方向、３２，３３は欠陥記録ブロック１と欠陥記録ブロック２，３４，３５は代替記録ブロック１と代替記録ブロック２，３６は代替記録ブロックへの移動方向を示す。
【００１０】
この欠陥救済方法を実施するには、図２を参照して前述した光記録媒体記録再生装置に対して、さらに、欠陥記録ブロックや代替記録ブロックの位置を管理している欠陥管理回路を別に設ける。なお、欠陥処理機能は制御回路に組み込まれているものとする。
【００１１】
次に、この欠陥救済方法の動作概要を述べる。まず、図２のように光記録媒体記録再生装置に光記録媒体１０を装着する。そして、上位装置（図示省略）から光記録媒体１０の記録膜３０の欠陥のない正常記録ブロックへアクセスのあった時は、そのままその記録ブロックで情報の読み書きをする。一方、光記録媒体１０の欠陥記録ブロック３２，３３へアクセスのあった時は、欠陥記録ブロック３２，３３で情報を読み書きせずに、欠陥管理回路に書き込まれている情報にしたがって、代替記録ブロックへの移動方向３６が示す次の記録ブロックである代替記録ブロック３４，３５で読み書きをする。このように、欠陥記録ブロックがあった場合、次の代替記録ブロックへ移動して読み書きする。
【００１２】
【特許文献１】
特開平６−２３５４９４号公報
【００１３】
【発明が解決しようとする課題】
以上のような方法により欠陥記録ブロックを救済することができるが、この方法では、欠陥記録ブロックがあった場合、光記録媒体記録再生装置が代替記録ブロックの情報を読み書きするためにＣＣＤ撮像装置等を機械的に移動させる必要があるため、アクセスに遅延が生じるという問題があった。
【００１４】
本発明は、上記事情に鑑みてなされたものであり、記録ブロックに欠陥がある光記録媒体であっても高速アクセスが可能な光記録媒体記録再生方法及び装置を提供することにある。
【００１５】
【課題を解決するための手段】
上記目的を達成するために、本発明では、欠陥のある記録ブロックを代替する代替記録ブロックの管理情報を光記録媒体に予め記録しておき、光記録媒体の使用開始時には、光記録媒体に記録されている代替記録ブロックの管理情報にしたがって、代替記録ブロックに記録されている情報を一時記憶部に転写し、欠陥記録ブロックへのアクセスがあった場合には、該欠陥記録ブロックの代替記録ブロックにアクセスする代わりに前記一時記憶部に対して情報の読み書きを行い、光記録媒体の使用終了時には、前記一時記憶部の情報を代替記録ブロックに書き写すことを特徴とする。
【００１６】
本発明によれば、光記録媒体に欠陥がある場合にその欠陥記録ブロックに対するアクセスがあった場合、代替記録ブロックに代えて一時記憶部に対して情報の読み書きを行うので、欠陥のある光記録媒体に対するアクセス速度が向上する。
【００１７】
【発明の実施の形態】
本発明の一実施の形態に係る光記録媒体記録再生装置について図４を参照して説明する。図４は光記録媒体記録再生装置の概略構成図である。図中、図２を参照して説明した従来の光記録媒体記録再生装置と同一の構成部分には同一の符号を付した。
【００１８】
図４に示すように、本実施の形態に係る光記録媒体記録再生装置４０は、図２を参照して説明した従来の光記録媒体記録再生装置２０に対して、欠陥記録ブロックと該欠陥記録ブロックを代替する代替記録ブロックの位置関係等を含む代替ブロック管理情報を管理する欠陥管理回路４１と、半導体メモリなどからなる一時記憶部４２を付加した構成となっている。なお、図中、一点鎖線矢印は光学的な接続関係を表し、実線矢印は電気的な接続関係を表し、破線矢印は機械的な接続関係を表している。また、参照光２４，物体光２５，再生光２６を、それぞれ光記録媒体１０端面，光記録媒体１０，ＣＣＤ撮像装置２３に適切に入射させるためには、例えばレンズなどを用いる必要があるが、図４では、これを省略して示している。
【００１９】
欠陥管理回路４１で管理される代替記録ブロック管理情報は、光記録媒体１０を使用する際に、該光記録媒体１０に記録されている代替記録ブロック管理情報を読み出し、これを記憶したものである。
【００２０】
一時記憶部４２には、光記録媒体１０を使用する際に、欠陥管理回路４１の管理情報にしたがい、光記録媒体１０の代替記録ブロックに記録されている情報が転写される。本装置４０では、光記録媒体１０の読み書き中に、欠陥記録ブロックに対するアクセスがあった場合、欠陥管理回路４１の管理情報の指示に従って、欠陥記録ブロックの代わりに、一時記憶部４２にアクセスすることにより、欠陥救済の高速化を図っている。そして、光記録媒体１０を使用終了の際には、一時記憶部４２に記憶されている情報を光記録媒体１０の代替記録ブロックに書き写す。
【００２１】
光記録媒体１０の構造については、上述した従来のものと同様なのでここでは説明を省略する。なお、光記録媒体１０の物理的形状としては、チップ状、カード状、ディスク状、テープ状など種々のものが利用可能である。
【００２２】
この光記録媒体記録再生装置４０を用いて光記録媒体１０に情報の書き込みを行う場合の概略動作について説明する。まず、光記録媒体記録再生装置４０に光記録媒体１０を装着する。次に、光記録媒体１０の側面から記録対象の記録ブロック１３を含む記録膜１２に、レーザ２１で発生した扁平な参照光２４を照射するとともに、光記録媒体１０の下方から記録対象の記録ブロック１３に、物体光発生装置２２で発生した物体光２５を当てる。ここで、物体光２５は、レーザ２１で発生した光をビームスプリッタ（図示省略）で分岐させ、この分岐光を物体光発生装置２２に入射させることにより発生させる。なお、光記録媒体１０の層選択は制御回路２７の指令により行う。
【００２３】
一方、情報の読み込み動作は、記録時と同様に、光記録媒体１０の側面から再生対象の記録ブロック１３を含む記録膜１２に、レーザ２１で発生した扁平な参照光２４を照射する。そして、ＣＣＤ撮像装置２３で再生対象の記録ブロック１３からの再生光を読み取る。なお、光記録媒体１０の層選択は制御回路２７の指令により行う。
【００２４】
以下に、代替記録ブロックの配置に着目して本発明の３つの実施例について説明する。
【００２５】
【実施例１】
本実施例では、欠陥記録ブロックの次のアドレスの記録ブロックを当該欠陥ブロックの代替記録ブロックとする。このような欠陥救済処理は、光記録媒体の初期化時に行われる。
【００２６】
図５を参照して第１の実施例について説明する。図中、３０は記録ブロックが４行×５列に配列された光記録媒体の記録膜、３１はアドレス（番地）歩進方向、３２，３３は欠陥記録ブロック１，２、３４，３５は代替記録ブロック１，２、３６は代替記録ブロックへの移動方向である。
【００２７】
本実施例では、光記録媒体の初期化時に欠陥記録ブロックを発見すると、図に示すように、その欠陥記録ブロックに対して番地歩進方向３１と同一方向である代替記録ブロックへの移動方向３６にアドレスを１つずらした位置の記録ブロックを、その代替記録ブロックとする。図５の例では、代替記録ブロック３４が欠陥記録ブロック３２を代替し、代替記録ブロック３５が欠陥記録ブロック３３を代替する。このような欠陥記録ブロックと代替記録ブロックとの位置関係の情報（代替記録ブロック管理情報）は、光記録媒体の所定領域（欠陥記録ブロック管理領域）に予め書き込まれる。
【００２８】
次に、この光記録媒体へのアクセスについて説明する。まず、光記録媒体記録再生装置４０に光記録媒体を装着する。そして、記録再生装置４０の制御回路２７は、記録再生装置自身の自動立ち上げ時に、光記録媒体の欠陥記録ブロック管理領域に書かれている情報を欠陥管理回路４１に読み込み、この情報に従って、記録膜３０上の欠陥記録ブロック３２及び３３の代替記録ブロック３４及び３５に書かれている情報を、一時記憶部４２へ転写するよう制御する。
【００２９】
そして、上位装置から光記録媒体の欠陥のない正常記録ブロックへアクセスのあった時は、制御回路２７は、そのままその記録ブロックで情報の読み書きをするよう制御する。
【００３０】
しかし、記録膜３０上の欠陥記録ブロック３２又は３３へアクセスのあった時は、制御回路２７は、欠陥記録ブロック３２，３３の代替記録ブロック３４，３５で情報の読み書きをせずに、直接一時記憶部４２を使用して情報の読み書きをするよう制御する。そのため、欠陥記録ブロックがあっても代替記録ブロックへ読み書き装置が到着するまで待って読み書きせずに済み、高速の欠陥救済ができる。
【００３１】
そして、情報の読み書き動作が終了し、この光記録媒体の使用が終わったら、制御回路２７は、一時記憶部４２の情報内容を、欠陥記録ブロックの順序に従って代替記録ブロックへ書き込むよう制御する。このため、次にこの光記録媒体を使用する際、面倒な手続き無しに使用できる。即ち、一時記憶部４２を使用した場合は、通常の番地歩進通りに従って情報の読み書きができ、情報の転送速度に影響ないという利点がある。
【００３２】
【実施例２】
本実施例では、光記録媒体の初期化後に欠陥記録ブロックが判明した際に、記録ブロックを予備の記録ブロックに切り替えることにより欠陥救済処理する。ここで、記録ブロックを予備の記録ブロックに切り替えるとは、欠陥記録ブロックの代わりに同一記録膜内に予め用意された予備の記録ブロックを使用することをいう。
【００３３】
図６を参照して第２の実施例について説明する。図中、５０は記録ブロックが４行×５列に配列された光記録媒体の記録膜、５１は記録膜５０の情報領域、５２は記録膜５０に予め用意された予備記録領域、５３，５４は，欠陥記録ブロック１，２、５５，５６は代替記録ブロック１，２、５７は代替記録ブロックへの移動方向を示す。
【００３４】
本実施例では、上位装置から光記録媒体の欠陥記録ブロック５３，５４へアクセスのあった場合、欠陥記録ブロック５３，５４で情報の読み書きをせずに、代替記録ブロックへの移動方向５７が示す予備の記録ブロックである代替記録ブロック５５，５６で読み書きをする。このような欠陥記録ブロックと代替記録ブロックとの位置関係の情報（代替記録ブロック管理情報）は、光記録媒体の所定領域（欠陥記録ブロック管理領域）に予め書き込まれる。
【００３５】
次に、この光記記録媒体へのアクセスについて説明する。まず、光記録媒体記録再生装置４０へ光記録媒体を装着する。そして、記録再生装置４０の制御回路２７は、記録再生装置自身の自動立ち上げ時に、光記録媒体の欠陥記録ブロック管理領域に書かれている情報を欠陥管理回路４１に読み込み、この情報に従って、記録膜５０上の欠陥記録ブロック５３及び５４の代替記録ブロック５５，５６に書かれている情報を、一時記憶部４２へ転写するよう制御する。
【００３６】
そして、上位装置から光記録媒体の欠陥のない正常記録ブロックへアクセスのあった時は、制御回路２７は、そのままその記録ブロックで情報の読み書きをするよう制御する。
【００３７】
しかし、記録膜５０上の欠陥記録ブロック５３又は５４へアクセスのあった時は、制御回路２７は、欠陥記録ブロック５３，５４の代替記録ブロック５５，５６で情報の読み書きをせずに、直接一時記憶部４２を使用して情報の読み書きをするよう制御する。そのため、欠陥記録ブロックがあっても代替記録ブロックへ読み書き装置が到着するまで待って読み書きせずに済み、高速の欠陥救済ができる利点がある。すなわち、一時記憶部を使用した場合は、記録ブロックの通常番地歩進通りのアクセスに従って情報の読み書きができ、読み書き時間が正常記録ブロックへアクセスする場合と同様に短くなる利点がある。
【００３８】
なお、情報の読み書きが済み、この光記録媒体の使用が終わったら、制御回路２７は、一時記憶部４２の情報内容を、欠陥記録ブロック５３，５４の順序に従って代替記録ブロック５５，５６へ書き込むよう制御する。このため、次にこの光記録媒体を使用する際、面倒な手続き無しに使用できる。
【００３９】
【実施例３】
本実施例では、第１又は第２の実施例でも救済できない場合、すなわち記録膜のほとんどに欠陥が含まれる場合、記録膜ごと、別の記録膜に切り替えることによって欠陥救済処理を行う。
【００４０】
ここで、記録膜ごと、別の記録膜に切り替えるとは、同一光記録媒体内の物理的な位置上、欠陥記録ブロックを大量に含む記録膜とは異なる記録膜（例えば隣の記録膜）を使用する。若しくは、同一光記録媒体内に予め用意された予備の記録膜を使用することをいう。
【００４１】
図７を参照して第３の実施例について説明する。図中、６０は光記録媒体の記録膜、６１は記録膜６０の欠陥記録領域、６２は記録膜６０の代わりに情報の記録又は再生を行うための代替記録膜である。なお、記録膜６０，６２には前記同様、記録ブロックが４行×５列で配列されているものとする。
【００４２】
本実施例では、大量に欠陥記録ブロックが含まれる記録膜６０のうち欠陥記録領域６１へアクセスがあった場合、その記録膜の情報の読み書きができないので、この欠陥記録領域６１の欠陥記録ブロックの代わりに代替記録膜６２の記録ブロックを、その代替記録ブロックとする。このような欠陥記録ブロックと代替記録ブロックとの位置関係の情報（代替記録ブロック管理情報）は、光記録媒体の所定領域（欠陥記録ブロック管理領域）に予め書き込まれる。
【００４３】
次に、この光記録媒体へのアクセスについて説明する。まず、光記録媒体記録再生装置４０へ光記録媒体を装着する。そして、記録再生装置４０の制御回路２７は、記録再生装置自身の自動立ち上げ時に、光記録媒体の欠陥記録ブロック管理領域に書かれている情報を欠陥管理回路４１に読み込み、この情報に従って、記録膜６０上の欠陥記録領域６１の記録ブロックを代替する代替記録膜６２に書かれている情報を、一時記憶部４２へ転写するよう制御する。
【００４４】
そして、上位装置から光記録媒体の欠陥のない正常記録ブロックへアクセスのあった時は、制御回路２７は、そのままその記録ブロックで情報の読み書きをするよう制御する。
【００４５】
しかし、記録膜６０上の欠陥記録領域６１にアクセスがあった場合、制御回路２７は、代替記録膜６２へ記録再生位置を飛ばさずに、一時記憶部４２をアクセスして情報の読み書きをするよう制御する。そのため、記録再生装置が正しい情報を求めて機械的に移動しなくてよいため、順序だった番地歩進ができ、欠陥救済処理が短時間でできる利点がある。
【００４６】
なお、情報の読み書きが済み、この光記録媒体の使用が終わったら、制御回路２７は、一時記憶部４２の情報内容を代替記録膜６２へ書き込むよう制御する。このため、次にこの光記録媒体を使用する際、面倒な手続き無しに使用できる。
【００４７】
以上詳述したように、本発明では一時記憶部を利用して欠陥処理をするため、欠陥記録ブロックが多数あった場合等、特に情報転送の時間が早くなり、有利となる。また、本発明では、欠陥記録ブロックが多数存在しても、アクセスタイムには殆ど影響ないという利点がある。
【００４８】
以上本発明の実施の形態について説明したが本発明はこれに限定されるものではない。例えば、上記光記録媒体では、記録膜をガラス基板上に積層した構造となっていたが、この基板は他の材質によって形成してもよい。また、基板を特に設けなくてもよい。
【００４９】
さらに、上記実施形態では、一時記憶部として半導体メモリを用いたが、磁気ディスク、光ディスク等の他の記録媒体であってもよい。なお、一時記憶部として用いる記録媒体としては、半導体メモリのように情報の記録再生の速いものが好適である。
【００５０】
なお、一時記憶部に必要の記憶容量は、例えば１記録ブロック当たり１０２４バイトとして、代替記録ブロックが２０４８記録ブロックあるとすると、１６メガビットで済む。即ち、現在市販品として売り出されているランダムアクセス記憶素子である１６メガビットＩＣが１個で済むので、簡便かつ経済的に装置構成が可能となる。
【００５１】
また、上記実施の形態では、一時記憶部を光記録媒体記録再生装置内に配置したが、装置外に設けるようにしてもよい。もっとも、上記実施の形態のように装置内に一時記憶部を配置すると、上位装置に対して余分な負担はかけなくて済むという利点がある。
【００５２】
【発明の効果】
以上詳述したように、本発明によれば、光記録媒体に欠陥がある場合にその欠陥記録ブロックに対するアクセスがあった場合、代替記録ブロックに代えて一時記憶部に対して情報の読み書きを行うので、欠陥のある光記録媒体に対するアクセス速度が向上する。
【図面の簡単な説明】
【図１】光記録媒体の構造の模式図
【図２】従来の光記録媒体記録再生装置の構成図
【図３】従来の光記録媒体の欠陥救済方法の概念図
【図４】本発明に係る光記録媒体記録再生装置の構成図
【図５】本発明の動作を説明する光記録媒体の第１の欠陥救済方法の概念図
【図６】本発明の動作を説明する光記録媒体の第２の欠陥救済方法の概念図
【図７】本発明の動作を説明する光記録媒体の第３の欠陥救済方法の概念図
【符号の説明】
１０…光記録媒体、１１…基板、１２…記録膜、１３…記録ブロック、２０，４０…光記録媒体記録再生装置、２１…レーザ、２２…物体光発生装置、２３…ＣＣＤ撮像装置、２４…参照光、２５…物体光、２６…再生光、２７…制御回路、４１…欠陥管理回路、４２…一時記憶部、３０，５０，６０…記録膜、３１…番地歩進方向、３２，３３，５３，５４…欠陥記録ブロック、３４，３５，５５，５６…代替記録ブロック、３６，５７…代替記録ブロックへの移動方向、５１…情報領域、５２…予備記録領域、６１…欠陥記録領域、６２…代替記録膜
【図１】
2004227632.tif 000003
【図２】
2004227632.tif 000004
【図３】
2004227632.tif 000005
【図４】
2004227632.tif 000006
【図５】
2004227632.tif 000007
【図６】
2004227632.tif 000008
【図７】
2004227632.tif 000009